【手続補正書】
【提出日】平成26年2月19日(2014.2.19)
【手続補正１】
【補正対象書類名】特許請求の範囲
【補正対象項目名】全文
【補正方法】変更
【補正の内容】
【特許請求の範囲】
【請求項１】
インクカートリッジが装着され記録ヘッドによりインクを吐出し記録する記録装置に接続可能な情報処理装置と通信可能に接続される制御装置であって、
前記情報処理装置から、前記記録装置における前記インクカートリッジを使用したときの記録に関する情報である関連情報を取得する関連情報取得部と、
前記関連情報取得部が取得した前記関連情報の履歴に基づいて、少なくとも、複数種類の前記インクカートリッジのうち前記記録装置が優先して使用するべき前記インクカートリッジの種類を判別し、当該インクカートリッジの種類を示す情報を含む種類情報を出力する種類情報出力部と、を備えることを特徴とする制御装置。
【請求項２】
前記関連情報は、少なくとも、前記記録装置における記録に係る動作の態様に関する情報を含み、
前記種類情報出力部は、
前記関連情報取得部が取得した前記記録装置における記録に係る動作の態様に関する情報の履歴に基づいて、少なくとも、複数種類のインクカートリッジのうち、前記記録装置が優先して使用するべき前記インクカートリッジの種類を判別し、当該インクカートリッジの種類を示す情報を含む前記種類情報を出力することを特徴とする請求項１に記載の制御装置。
【請求項３】
前記記録装置における記録に係る動作の態様に関する情報とは、前記インクカートリッジのインクの消費に関する情報、又は、前記記録装置による記録動作の頻度に関する情報であることを特徴とする請求項２に記載の制御装置。
【請求項４】
前記関連情報は、少なくとも、前記インクカートリッジのインクの吐出に関する情報を含み、
前記種類情報出力部は、
前記関連情報取得部が取得した前記インクカートリッジのインクの吐出に関する情報の履歴に基づいて、少なくとも、複数種類の前記インクカートリッジのうち、インクの吐出の状況に対応した前記インクカートリッジの種類を判別し、当該インクカートリッジの種類を示す情報を含む前記種類情報を出力することを特徴とする請求項１に記載の制御装置。
【請求項５】
１の種類の前記インクカートリッジは、前記記録ヘッドから、記録以外の用途で使用されるインクを含めて貯留されたものであり、
前記インクカートリッジのインクの吐出に関する情報には、前記記録ヘッドのインクの吐出の検査に係るエラーに関する情報が含まれ、
前記種類情報出力部は、
前記関連情報取得部が取得した前記記録ヘッドのインクの吐出の検査に係るエラーに関する情報の履歴に基づいて、当該１の種類の前記インクカートリッジを含む前記種類情報を出力することを特徴とする請求項４に記載の制御装置。
【請求項６】
前記記録ヘッドのインクの吐出の検査に係るエラーに関する情報とは、前記記録ヘッドのノズルチェックの結果を示す情報、又は、ノズルの吐出不良に関する情報を含むものであることを特徴とする請求項５に記載の制御装置。
【請求項７】
インクカートリッジが装着され記録ヘッドによりインクを吐出し記録する記録装置に接続可能な情報処理装置であって、
前記記録装置から、前記記録装置における前記インクカートリッジを使用したときの記録に関する情報である関連情報を取得する関連情報取得部と、
前記関連情報取得部が取得した前記関連情報の履歴に基づいて、少なくとも、複数種類の前記インクカートリッジのうち前記記録装置が優先して使用するべき前記インクカートリッジの種類を判別し、当該インクカートリッジの種類を示す情報を含む種類情報を出力する種類情報出力部と、を備えることを特徴とする情報処理装置。
【請求項８】
インクカートリッジが装着され記録ヘッドによりインクを吐出し記録する記録装置に接続可能な情報処理装置と通信可能な制御装置の制御方法であって、
前記情報処理装置から、前記記録装置における前記インクカートリッジを使用したときの記録に関する情報である関連情報を取得し、取得した前記関連情報の履歴に基づいて、少なくとも、複数種類の前記インクカートリッジのうち前記記録装置が優先して使用するべき前記インクカートリッジの種類を判別し、当該インクカートリッジの種類を示す情報を含む情報である種類情報を出力することを特徴とする制御装置の制御方法。
【手続補正２】
【補正対象書類名】明細書
【補正対象項目名】０００３
【補正方法】変更
【補正の内容】
【０００３】
【特許文献１】特開２００２−３６５８２号公報
【手続補正３】
【補正対象書類名】明細書
【補正対象項目名】０００５
【補正方法】変更
【補正の内容】
【０００５】
上記目的を達成するために、本発明は、インクカートリッジが装着され記録ヘッドによりインクを吐出し記録する記録装置に接続可能な情報処理装置と通信可能に接続される制御装置であって、前記情報処理装置から、前記記録装置における前記インクカートリッジを使用したときの記録に関する情報である関連情報を取得する関連情報取得部と、前記関連情報取得部が取得した前記関連情報の履歴に基づいて、少なくとも、複数種類の前記インクカートリッジのうち前記記録装置が優先して使用するべき前記インクカートリッジの種類を判別し、当該インクカートリッジの種類を示す情報を含む種類情報を出力する種類情報出力部と、を備えることを特徴とする。
この構成によれば、出力された種類情報には、記録装置によるインクカートリッジを利用した記録に関する情報が反映された、複数種類のインクカートリッジのうち記録装置が使用するのに適したインクカートリッジを示す情報が含まれているため、当該種類情報を利用することにより、記録装置に適したインクカートリッジを判別することが可能となる。
【手続補正４】
【補正対象書類名】明細書
【補正対象項目名】０００６
【補正方法】変更
【補正の内容】
【０００６】
また、上記発明の制御装置であって、本発明は、前記関連情報は、少なくとも、前記記録装置における記録に係る動作の態様に関する情報を含み、前記種類情報出力部は、前記関連情報取得部が取得した前記記録装置における記録に係る動作の態様に関する情報の履歴に基づいて、少なくとも、複数種類のインクカートリッジのうち、前記記録装置が優先して使用するべき前記インクカートリッジの種類を判別し、当該インクカートリッジの種類を示す情報を含む前記種類情報を出力することを特徴とする。
この構成によれば、出力された種類情報には、記録装置における記録に係る動作の態様に適したインクカートリッジを示す情報が含まれているため、当該種類情報を利用することにより、記録装置における記録に係る動作の態様を反映して、記録装置に適したインクカートリッジを判別することが可能となる。
【手続補正５】
【補正対象書類名】明細書
【補正対象項目名】０００９
【補正方法】変更
【補正の内容】
【０００９】
また、上記発明の制御装置であって、本発明は、１の種類の前記インクカートリッジには、前記記録ヘッドから、記録以外の用途で使用されるインクを含めてインクが貯留されており、前記インクカートリッジのインクの吐出に関する情報には、前記記録ヘッドのインクの吐出に係るエラーに関する情報が含まれ、前記種類情報出力部は、前記関連情報取得部が取得した前記記録ヘッドのインクの吐出に係るエラーに関する情報の履歴に基づいて、当該１の種類の前記インクカートリッジを含む前記種類情報を出力することを特徴とする。
この構成によれば、１の種類のインクカートリッジを使用して、インクの吐出のエラーを解消すべき状況にある場合に、種類情報を利用して、適切に、当該１の種類のインクカートリッジを提供することが可能となる。
【手続補正６】
【補正対象書類名】明細書
【補正対象項目名】００１１
【補正方法】変更
【補正の内容】
【００１１】
また、上記目的を達成するために、本発明は、インクカートリッジが装着され記録ヘッドによりインクを吐出し記録する記録装置に接続可能な情報処理装置であって、前記記録装置から、前記記録装置における前記インクカートリッジを使用したときの記録に関する情報である関連情報を取得する関連情報取得部と、前記関連情報取得部が取得した前記関連情報の履歴に基づいて、少なくとも、複数種類の前記インクカートリッジのうち前記記録装置が優先して使用するべき前記インクカートリッジの種類を判別し、当該インクカートリッジの種類を示す情報を含む種類情報を出力する種類情報出力部と、を備えることを特徴とする。
この構成によれば、出力された種類情報には、記録装置によるインクカートリッジを利用した記録に関する情報が反映された、複数種類のインクカートリッジのうち記録装置が使用するのに適したインクカートリッジを示す情報が含まれているため、情報処理装置は、当該種類情報を利用することにより、記録装置に適したインクカートリッジを判別することが可能となる。
【手続補正７】
【補正対象書類名】明細書
【補正対象項目名】００１３
【補正方法】変更
【補正の内容】
【００１３】
また、上記目的を達成するために、本発明は、インクカートリッジが装着され記録ヘッドによりインクを吐出し記録する記録装置に接続可能な情報処理装置と通信可能な制御装置の制御方法であって、前記情報処理装置から、前記記録装置における前記インクカートリッジを使用したときの記録に関する情報である関連情報を取得し、取得した前記関連情報の履歴に基づいて、少なくとも、複数種類の前記インクカートリッジのうち前記記録装置が優先して使用するべき前記インクカートリッジの種類を判別し、当該インクカートリッジの種類を示す情報を含む情報である種類情報を出力することを特徴とする。
この制御方法によれば、出力された種類情報には、記録装置によるインクカートリッジを利用した記録に関する情報が反映された、複数種類のインクカートリッジのうち記録装置が使用するのに適したインクカートリッジを示す情報が含まれているため、当該種類情報を利用することにより、記録装置に適したインクカートリッジを判別することが可能となる。
【手続補正８】
【補正対象書類名】図面
【補正対象項目名】図２
【補正方法】変更
【補正の内容】
【図２】
2012206425.tif 000001